(57)【特許請求の範囲】
【請求項１】
筐体の左右に取り付けられる一組のハンドルと一組のラック用取付部材とを備えるラックマウント用電子機器であって、
前記筐体のフロントパネルの両側部にねじ穴が形成されており、
前記ハンドルに、前記ねじ穴に該ハンドルをねじ固定するための第１貫通孔が形成され、
前記フロントパネルと前記ハンドルとのいずれか一方に該ハンドルの配置を案内する位置決め穴が設けられ、他方に前記位置決め穴と係合する位置決めボスが設けられ、
前記ラック用取付部材に、前記ねじ穴に該ラック用取付部材をねじ固定するための第２貫通孔が形成されるとともに、前記位置決めボスを連通させる連通孔が設けられていることを特徴とするラックマウント用電子機器。
【請求項２】
筐体の左右に取り付けられる一組のハンドルと一組のラック用取付部材とを備えるラックマウント用電子機器であって、
前記筐体のフロントパネルの両側部にねじ穴が形成されており、
前記ハンドルに、前記ねじ穴に該ハンドルをねじ固定するための第１貫通孔が形成され、
前記ラック用取付部材に、前記ねじ穴に該ラック用取付部材をねじ固定するための第２貫通孔が形成されるとともに、前記第２貫通孔より外側であって、前記ラックとの取付位置よりも内側に、該フロントパネルに装着したケーブルを通して前記ラックの背面側に案内するガイド孔が設けられていることを特徴とするラックマウント用電子機器。
【請求項３】
前記ラック用取付部材は、少なくとも前記第２貫通孔の周辺が平板状に設けられていることを特徴とする請求項１又は２に記載のラックマウント用電子機器。
【請求項４】
前記筐体の側面部には、前記フロントパネルの両側部の背面をへこませた凹部が設けられていることを特徴とする請求項１から３のいずれか一項に記載のラックマウント用電子機器。
【請求項５】
前記フロントパネルの左側に配置される前記ハンドルの取っ手部の前面は、左側に向かって下り勾配となる傾斜が設けられ、前記フロントパネルの右側に配置される前記ハンドルの取っ手部の前面は、右側に向かって下り勾配となる傾斜が設けられていることを特徴とする請求項１から４のいずれか一項に記載のラックマウント用電子機器。
【発明の詳細な説明】
【技術分野】
【０００１】
本発明は、電子機器をラックに取り付ける構造を備えたラックマウント用電子機器に関する。
【背景技術】
【０００２】
ＰＡ（Ｐｕｂｌｉｃ  Ａｄｄｒｅｓｓ）、ＳＲ（Ｓｏｕｎｄ  Ｒｅｉｎｆｏｒｃｅｍｅｎｔ）等に使われる業務用オーディオ・パワーアンプは、ホール、劇場、宴会場などの恒久的設備や、ライブ、イベント等のための仮設会場で使用される。また、このような業務用オーディオ・パワーアンプは、複数台を同時に使用する場合が多く、ラックに複数台をマウント（搭載）して使用することが行われる。例えば、仮設会場で使用する場合は、その仮設会場に応じた台数の業務用オーディオ・パワーアンプが、会場においてラックにマウントされる。
【０００３】
そして、このようなラックマウント用電子機器においては、例えば特許文献１又は特許文献２に記載されているように、ラックへ取り付けるための取付部材がフロントパネルの左右に着脱可能に設けられる。また一般に、ラックマウント用電子機器は、電源、冷却用ファン等を備え、比較的重量が大きいことから、特許文献２及び非特許文献１〜４に開示されるように、筐体の一部にハンドル（取っ手）等を備え、このハンドルを握って容易に持ち運びができるようになっている。
【先行技術文献】
【特許文献】
【０００４】
【特許文献１】実開平４−７９４８０号公報
【特許文献２】特許第４８３１０００号公報
【非特許文献１】Ｙｏｒｋｖｉｌｌｅ  Ｓｏｕｎｄ，Ｍ８１２−２，インターネット＜ＵＲＬ：http://yorkville.com/mixers/micromix/product/m810-2/＞
【非特許文献２】Ｙｏｒｋｖｉｌｅ  Ｓｏｕｎｄ，Ｍ１６１０−２，インターネット＜ＵＲＬ：http://yorkville.com/mixers/micromix/product/m1610-2/＞
【非特許文献３】ヤマハ株式会社、パワードミキサーＥＭＸ５１２ＳＣ、インターネット＜ＵＲＬ：http://www.yamahaproaudio.com/japan/ja/products/mixers/emx_box/photos.jsp＞
【非特許文献４】ヤマハ株式会社、ポータブルＰＡシステムＳＴＡＧＥＰＡＳ６００ｉ、インターネット＜ＵＲＬ：http://www.yamahaproaudio.com/japan/ja/products/pasystems/stagepas_400i600i/＞
【発明の概要】
【発明が解決しようとする課題】
【０００５】
ところが、このようなハンドルを備えるラックマウント用電子機器においては、一般にハンドルは筐体と一体化されており、ハンドルを必要としない状況においても、ハンドルを自由に取り外すことはできなかった。そして、ハンドルの取り外しができないことから、ラックの取付部材はハンドルを避けて取り付ける必要があり、製品デザインの自由度の妨げとなっていた。
なお、特許文献２に開示されるラックマウント用電子機器については、ハンドル（取っ手）がフロントパネルの延在部を挟んで、この延在部の裏面側からねじにより、取り外し可能に取り付けられている。しかし、この特許文献２に記載のマウント用電子機器においては、ラックの取付部材がハンドルを避けて取り付ける必要があるとともに、さらにフロントパネルに延在部を設ける必要があった。
【０００６】
本発明は、このような事情に鑑みてなされたもので、ハンドルが筐体に着脱可能に設けられ、ハンドルとラック用取付部材との取り付けにおいてスペース効率に優れたラックマウント用電子機器を提供することを目的とする。
【課題を解決するための手段】
【０００７】
本発明は、筐体の左右に取り付けられる一組のハンドルと一組のラック用取付部材とを備えるラックマウント用電子機器であって、前記筐体のフロントパネルの両側部にねじ穴が形成されており、前記ハンドルに、前記ねじ穴に該ハンドルをねじ固定するための第１貫通孔が形成され、前記フロントパネルと前記ハンドルとのいずれか一方に該ハンドルの配置を案内する位置決め穴が設けられ、他方に前記位置決め穴と係合する位置決めボスが設けられ、前記ラック用取付部材に、前記ねじ穴に該ラック用取付部材をねじ固定するための第２貫通孔が形成されるとともに、前記位置決めボスを連通させる連通孔が設けられていることを特徴とする。
このラックマウント用電子機器においては、筐体のフロントパネルにねじ穴を設け、このねじ穴に対応する第１貫通孔をハンドルに設けるとともに、第２貫通孔をラック用取付部材に設けているので、第１貫通孔又は第２貫通孔を介してねじ穴に取付ねじを締結することにより、ハンドルとラック用取付部材とを筐体に取り付けることができる。また、ハンドルとラック用取付部材とは、取付ねじによってねじ固定されているだけなので、取付ねじを緩めて外すことでハンドルとラック用取付部材とを筐体から容易に取り外すことができる。また、位置決め穴と位置決めボスとを設けることで、筐体に対してハンドルを正確な位置に取り付けることができる。
【０００８】
本発明は、筐体の左右に取り付けられる一組のハンドルと一組のラック用取付部材とを備えるラックマウント用電子機器であって、前記筐体のフロントパネルの両側部にねじ穴が形成されており、前記ハンドルに、前記ねじ穴に該ハンドルをねじ固定するための第１貫通孔が形成され、前記ラック用取付部材に、前記ねじ穴に該ラック用取付部材をねじ固定するための第２貫通孔が形成されるとともに、前記第２貫通孔より外側であって、前記ラックとの取付位置よりも内側に、該フロントパネルに装着したケーブルを通して前記ラックの背面側に案内するガイド孔が設けられていることを特徴とする。
このラックマウント用電子機器においては、筐体のフロントパネルにねじ穴を設け、このねじ穴に対応する第１貫通孔をハンドルに設けるとともに、第２貫通孔をラック用取付部材に設けているので、第１貫通孔又は第２貫通孔を介してねじ穴に取付ねじを締結することにより、ハンドルとラック用取付部材とを筐体に取り付けることができる。また、ハンドルとラック用取付部材とは、取付ねじによってねじ固定されているだけなので、取付ねじを緩めて外すことでハンドルとラック用取付部材とを筐体から容易に取り外すことができる。また、ガイド孔によりフロントパネルに装着したケーブルを束ねて、ラックの外側にケーブルを飛び出させることなくラックの背面側に円滑に案内することができるので、ケーブルを容易に整理することができる。
【０００９】
本発明のラックマウント用電子機器において、前記ラック用取付部材は、少なくとも前記第２貫通孔の周辺が平板状に設けられているとよい。
【００１０】
ハンドルを筐体に着脱可能に設けるとともに、そのハンドルをねじ固定するためのねじ穴を、ラック用取付部材をねじ固定するためのねじ穴として用いることで、ハンドルとラック用取付部材とを筐体に取り付けるためのねじ穴及び取付ねじを共用にしている。また、ラック用取付部材の少なくとも第２貫通孔の周辺を平板状に設けることで、ラック用取付部材はハンドルを避けて取り付ける必要がなく、ハンドルと筐体との間にラック用取付部材を挟んで、ハンドルとラック用取付部材との双方を筐体に取り付けることが可能である。さらに、ハンドルを取り外した状態でラック用取付部材のみを単独で筐体に取り付けることも可能であり、ラック用取付部材を取り外した状態でハンドルのみを単独で筐体に取り付けることも可能である。したがって、限られたスペース内にラック用取付部材を効率的に配置することができる。
【００１３】
本発明のラックマウント用電子機器において、前記筐体の側面部には、前記フロントパネルの両側部の背面をへこませた凹部が設けられているとよい。
筐体の側面部に凹部を設けることで、ラック用取付部材のガイド孔にケーブルを通した際に、ケーブルと筐体の側面部との間に一定の隙間を確保することができる。したがって、筐体の側面部に放熱用のスリット等を設けた場合にも、ケーブルによってスリットが塞がれることがなく、良好な放熱性能を維持できる。
【００１４】
本発明のラックマウント用電子機器において、前記フロントパネルの左側に配置される前記ハンドルの取っ手部の前面は、左側に向かって下り勾配となる傾斜が設けられ、前記フロントパネルの右側に配置される前記ハンドルの取っ手部の前面は、右側に向かって下り勾配となる傾斜が設けられているとよい。
フロントパネルの左右に配置されるハンドルのそれぞれにおいて、その取っ手部の前面に下り勾配を設けることで、左右の掌でそれぞれハンドルを握った際に、取っ手部の前面が掌に沿うように傾斜して配置される。このように取っ手部の前面を傾斜させることで、ハンドルを握り易くでき、比較的重量の大きいラックマウント用電子機器であっても、容易に持ち上げることができ、安全に持ち運ぶことができる。
【発明の効果】
【００１５】
本発明によれば、ハンドルを着脱可能とするとともに、ハンドルを取付けるためのねじ穴とラック用取付部材を取付けるためのねじ穴とを共用にしたので、スペース効率に優れたラックマウント用電子機器とすることができる。
【図面の簡単な説明】
【００１６】
【図１】本発明の実施形態に係るミキサ装置全体を示す斜視図である。
【図２】図１に示すミキサ装置を背面側から見た斜視図である。
【図３】図１に示すミキサ装置の正面図である。
【図４】図１に示すミキサ装置の背面図である。
【図５】図１に示すミキサ装置の下側面図である。
【図６】図１に示すミキサ装置にラック用取付部材を取付けた状態の斜視図である。
【図７】ミキサ装置へのラック用取付部材の装着を説明する分解斜視図である。
【図８】図６に示すミキサ装置を右側面から見た分解図である。
【図９】ミキサ装置をラックに装着した状態を示す斜視図である。
【図１０】ミキサ装置の斜視図であり、ハンドルを取り外してラック用取付部材を装着した状態を示す斜視図である。
【発明を実施するための形態】
【００１７】
以下、本発明の実施形態を図面を参照して説明する。
図１〜図８は、本発明の実施形態に係るラックマウント用電子機器を示す図であり、いわゆるミキサ装置として構成されるものである。以下、このミキサ装置１００を例に説明を行う。
ミキサ装置１００は、図６に示すように、全体として矩形状とされる筐体１を有し、この筐体１の左右に取り付けられる一組のハンドル５Ｌ，５Ｒと一組のラック用取付部材６Ｌ，６Ｒとを備える。筐体１は、内部に基板等が収容される箱状のベース２と、複数の操作子１１及び入出力端子１２，１３とともに、電源端子１４、スピーカジャック等の部品が設けられた操作面３１を有するフロントパネル３とを備える。フロントパネル３は、ベース２の開口部に被せられるようにして取り付けられる。なお、操作子１１及び入出力端子１２，１３等の部品は、概ね操作面３１の全面に設けられるが、図面では一部のみ記載し、他の部分は破線で省略した。また、図示は省略するが、ミキサ装置１００は、入出力端子１２にオーディオケーブル等を着脱自在に接続し、このオーディオケーブル等を介して他の電子音響機器に接続された状態で使用される。
【００１８】
以降の説明では、フロントパネル３が配置された操作面３１側をミキサ装置１００の前側（正面側）、ベース２が配置された側をミキサ装置１００の後側（背面側）とし、ミキサ装置１００の前側から後側を向いた左方向をミキサ装置１００の左側、右方向をミキサ装置１００の右側とする。
【００１９】
ベース２は、背面板２０ａと側面板２０ｂ〜２０ｅとで囲まれた一面を開口した有底の箱状に設けられ、前側を開放する形状に形成されている。なお、ベース２の背面板２０ａと側面板２０ｂ〜２０ｅとは一体に形成されているが、それぞれが別体であってもよい。そして、フロントパネル３は、ベース２の前側を塞ぐようにしてベース２に被せられるように取り付けられる。
また、図７に示すように、フロントパネル３の中央に配置された操作面３１の外側、すなわちフロントパネル３の左右の両側部に形成された台座部３２に、それぞれ上下２個ずつのねじ穴３５が形成されている。そして、一組のハンドル５Ｌ，５Ｒと一組のラック用取付部材６Ｌ，６Ｒとは、これらねじ穴３５と取付ねじ４５との締結により筐体１に着脱可能に取り付けられる。
【００２０】
また、フロントパネル３とハンドル５Ｌ，５Ｒとのいずれか一方に、ハンドル５Ｌ，５Ｒの配置を案内する位置決め穴が設けられ、他方に位置決め穴と係合する位置決めボスが設けられる。本実施形態のミキサ装置１００では、図７又は図８に示すように、フロントパネル３に円形穴と長円形穴とで形成された一組の位置決め穴３６ｓ，３６ｔが設けられ、ハンドル５Ｌ，５Ｒにこれら一組の位置決め穴３６ｓ，３６ｔと係合する一組の位置決めボス５６が設けられている。一方、ラック用取付部材６Ｌ，６Ｒには、位置決めボス５６を連通させる連通孔６６が設けられており、連通孔６６を介して位置決めボス５６を位置決め穴３６ｓ，３６ｔに係合させることができる。
【００２１】
なお、本実施形態のミキサ装置１００では、フロントパネル３に位置決め穴３６ｓ，３６ｔを設けることとし、ハンドル５Ｌ，５Ｒに位置決めボス５６を設けたが、フロントパネル３に位置決めボスを設けて、ハンドル５Ｌ，５Ｒに位置決め穴を設けることとしてもよい。いずれの場合においても、位置決め穴と位置決めボスとを設けることで、筐体１に対してハンドル５Ｌ，５Ｒを正確な位置に取り付けることができる。
【００２２】
ハンドル５Ｌ，５Ｒは、上述したように、上下の２箇所をフロントパネル３に取付ねじ４５でねじ固定することにより筐体１に取り付けられ、ハンドル５Ｌ，５Ｒをフロントパネル３に取り付けることで、ミキサ装置１００をハンドル５Ｌ，５Ｒの取っ手部５１を握って持ち運ぶことができる。具体的には、図８に示すように、フロントパネル３の両側部の台座部３２にそれぞれ上下２個ずつ形成されたねじ穴３５に対応するように、左右のハンドル５Ｌ，５Ｒのそれぞれに、これらハンドル５Ｌ，５Ｒをねじ固定するための第１貫通孔５５が２個ずつ形成されている。第１貫通孔５５は、取付ねじ４５の軸部を通し、頭部を通さない大きさに形成されている。これにより、フロントパネル３にハンドル５Ｌ，５Ｒを重ねて配置した状態で、筐体１の前側から第１貫通孔５５を介してねじ穴３５に取付ねじ４５を締結することにより、取付ねじ４５の頭部と台座部３２との間にハンドル５Ｌ，５Ｒを挟んだ状態で、ハンドル５Ｌ，５Ｒをフロントパネル３に取り付けることができる。また、ハンドル５Ｌ，５Ｒは、取付ねじ４５によってフロントパネル３に固定されているだけなので、取付ねじ４５を緩めて外すことでハンドル５Ｌ，５Ｒをフロントパネル３から容易に取り外すことができる。
【００２３】
なお、ハンドル５Ｌ，５Ｒの取っ手部５１は、ハンドル５Ｌ，５Ｒをフロントパネル３に取り付けた状態において、操作面３１上の操作子１１等の部品よりも前側に突出して設けられており、ミキサ装置１００の持ち運びを容易とする機能に加えて、操作子１１等の部品を別の物との衝突から保護する機能を兼ね備えている。
【００２４】
また、一組のハンドル５Ｌ，５Ｒのうち、フロントパネル３の左側に配置されるハンドル５Ｌの取っ手部５１の前面には、左側に向かって下り勾配となる傾斜が設けられ、フロントパネル３の右側に配置されるハンドル５Ｒの取っ手部５１の前面には、右側に向かって下り勾配となる傾斜が設けられている。このため、左右の掌で左右に取り付けられたそれぞれのハンドル５Ｌ，５Ｒを握った際に、取っ手部５１の上面が掌に沿うように傾斜して配置される。このように左右のハンドル５Ｌ，５Ｒにおいて、左右の掌の形状に合わせて取っ手部５１の前面を傾斜させていることから、左右のハンドル５Ｌ，５Ｒのそれぞれが握り易く、比較的重量の大きいラックマウント用電子機器であっても、容易に持ち上げることができ、安全に持ち運ぶことができる。
【００２５】
なお、本実施形態のミキサ装置１００においては、左右のハンドル５Ｌ、５Ｒは、実際には同一の形状であり、左側のハンドル５Ｌを上下逆向きに配置すると、右側のハンドル５Ｒとして使用することができる。同様に、右側のハンドル５Ｒを上下逆向きに配置することで、左側のハンドル５Ｌとして使用することができる。
【００２６】
一方で、筐体１の左右に取り付けられる各ハンドル５Ｌ，５Ｒがフロントパネル３に対して上下逆向きに取り付られることがないように、ねじ穴３５と位置決め部材（位置決め穴３６ｓ，３６ｔ及び位置決めボス５６）との関係を設定している。具体的には、各ハンドル５Ｌ，５Ｒの取付基準となる円形穴の位置決め穴３６ｓは、対となる２個のねじ穴３５と上下方向に並ぶようにして、すなわちハンドル５Ｌ，５Ｒの延在方向と平行に直線上に整列して配置しているが、他方の長円形穴の位置決め穴３６ｔは、ねじ穴３５及び位置決め穴３６ｓが並ぶ直線上から左右にずらして配置している。すなわち、一対の位置決め穴３６ｓ，３６ｔのうちの一方の位置決め穴３６ｔの配置をオフセットしている。このため、ハンドル５Ｌ，５Ｒを上下逆向きに配置して位置決め穴３６ｓ，３６ｔに位置決めボス５６を係合させると、第１貫通孔５５とねじ穴３５とを連通させることはできない。したがって、各ハンドル５Ｌ，５Ｒを上下逆向きに配置した状態では、取付ねじ４５を締めることはできず、ハンドル５Ｌ，５Ｒを筐体１に取り付けることはできない。ここでは、２個のねじ穴３５と２個の位置決め穴３６ｓ，３６ｔのうち、１つの位置決め穴３６ｔを前記直線上からオフセットするようにしたが、それら４個の穴のうちの何れか１個ないし複数をオフセットしてもよい。何れのオフセットであっても、それによりハンドル５Ｌ，５Ｒの上下逆向きでの取付けさえ防止できれば十分である。
【００２７】
また、ラック用取付部材６Ｌ，６Ｒは、図９に示すように、ミキサ装置１００をラック２００にマウント（装着）する際に用いられ、ミキサ装置１００は、これらラック用取部材６Ｌ，６Ｒを介してラック２００に取り付けられる。ラック用取付部材６Ｌ，６Ｒは、図７及び図８に示すように平板状の部材であって、フロントパネル３の縦幅と同程度の縦幅に設けられる。そして、ラック用取付部材６Ｌ，６Ｒには、筐体１との固定に使用される第２貫通孔６５と、ラック２００との固定に使用される第３貫通孔６７とが設けられている。このように、ラック用取付部材６Ｌ，６Ｒは、少なくとも第２貫通孔６５の周辺が平板状に形成されている。また、ラック用取付部材６Ｌ，６Ｒは、フロントパネル３の両側部を延長するようにして、フロントパネル３の左右方向の外側にまで延在して設けられ、その延在部分に第３貫通孔６７が設けられている。
そして、ラック用取付部材６Ｌ，６Ｒは、第２貫通孔６５の周辺部分をフロントパネル３に重ねて配置し、第２貫通孔６５を介してフロントパネル３にねじ固定することにより、筐体１に取り付けられる。また、ラック用取付部材６Ｌ，６Ｒは、第３貫通孔６７の周辺部分をラック２００に重ねて配置し、第３貫通孔６７を介してラック２００にねじ固定することにより、ラック２００に取り付けられる。
【００２８】
具体的には、フロントパネル３の両側部においてハンドル５Ｌ，５Ｒをねじ固定するために形成されたねじ穴３５に対応するように、左右のラック用取付部材６Ｌ，６Ｒのそれぞれに、これらラック用取付部材６Ｌ，５Ｒをねじ穴３５にねじ固定するための第２貫通孔６５が２個ずつ形成されている。つまり、ハンドル５Ｌ，５Ｒとラック用取付部材６Ｌ，６Ｒとを固定するためのねじ穴３５及び取付ねじ４５を共有にしている。したがって、ハンドル５Ｌ，５Ｒを取り外した状態でフロントパネル３にラック用取付部材６Ｌ，６Ｒを重ねて配置し、筐体１の前側から第２貫通孔６５を介してねじ穴３５に取付ねじ４５を締結することにより、ラック用取付部材６Ｌ，６Ｒをフロントパネル３に取り付けることができる。また、ラック用取付部材６Ｌ，６Ｒは、取付ねじ４５によってフロントパネル３に固定されているだけなので、取付ねじ４５を緩めて外すことでラック用取付部材６Ｌ，６Ｒをフロントパネル３から容易に取り外すことができる。
【００２９】
なお、ラック用取付部材６Ｌ，６Ｒには連通孔６６が設けられているので、図６に示すように、ハンドル５Ｌ，５Ｒとフロントパネル３との間に平板状のラック用取付部材６Ｌ，６Ｒを挟んだ状態で取付ねじ４５を締結することにより、ハンドル５Ｌ，５Ｒとラック用取付部材６Ｌ，６Ｒとの双方を筐体１に取り付けることも可能である。それ以外の取り付け方としては、図１０に示すように、ハンドル５Ｌ，５Ｒを取り外して、ラック用取付部材６Ｌ，６Ｒのみを単独で筐体１に取り付けたり、図１に示すように、ラック用取付部材６Ｌ，６Ｒを取り外して、ハンドル５Ｌ，５Ｒのみを単独で筐体１に取り付けることも可能である。
【００３０】
なお、ラック用取付部材６Ｌ，６Ｒのそれぞれに設けられる第３貫通孔６７は、筐体１の左右方向に延びる長穴で形成され、各ラック用取付部材６Ｌ，６Ｒの上下に２個ずつ形成されている。
また、ラック２００は、例えばＥＩＡ規格に準拠する１９インチラックとされ、ラック２００の前面に配置される２本の支柱２５Ｌ，２５Ｒに、ミキサ装置１００等を取付けるための複数のねじ穴２７が、ＥＩＡ規格のユニバーサルピッチに準拠してタップ付きで穿設されている。そして、ラック用取付部材６Ｌ，６Ｒに上下２個ずつ設けられた第３貫通孔６７は、これらラック２００のねじ穴２７の何れかと連通できるように、間隔をおいて形成されている。したがって、取付ねじ２８を、第３貫通孔６７に挿通してねじ穴２７に締結することで、取付ねじ２８の頭部とラック２００の支柱２５Ｌ，２５Ｒの間にラック用取付部材６Ｌ，６Ｒを挟んで、ミキサ装置１００をラック２００に装着することができる。また、取付ねじ２８を緩めて外すことで、ミキサ装置１００をラック２００から取り外すことができる。
【００３１】
また、ラック用取付部材６Ｌ，６Ｒには、図６及び図７に示すように、第２貫通孔６５及び第３貫通孔６７とともに、ガイド孔６８が設けられている。ガイド孔６８は、フロントパネル３に装着したケーブルを通してラック２００の背面側に案内するために用いられる。ガイド孔６８は、第２貫通孔６５より外側であって、ラック２００との取付位置（第３貫通孔６７）よりも内側に形成されており、図示例では、上下方向に延びる長円形穴により形成されている。これらガイド孔６８に、図６に白抜き矢印で示すように、フロントパネル３の入出力端子１２，１３等に装着したケーブルを通して、複数のケーブルを束ねることができる。このように、ケーブルをガイド孔６８に通すことで、ラック２００の外側にケーブルを飛び出させることなく、ラック２００の背面側に円滑に案内することができる。したがって、ケーブルをラック２００内に容易に整理することができる。
【００３２】
さらに、ミキサ装置１００においては、筐体１の左右の側面部に、図示例では、ベース２の左右の側面板２０ｄ，２０ｅに、フロントパネル３の両側部の背面をへこませた凹部２２を設け、凹部２２に放熱用のスリット２２ｓが設けられている。このように、筐体１の側面部に凹部２２を設けることで、ラック用取付部材６Ｌ，６Ｒのガイド孔６８にケーブルを通した際に、ケーブルと筐体１の側面部との間に一定の隙間を確保することができる。したがって、ケーブルによってスリット２２ｓが塞がれることがなく、良好な放熱性能を維持できる。
【００３３】
以上のように構成されるミキサ装置１００においては、ハンドル５Ｌ，５Ｒをフロントパネル３に着脱可能に設けるとともに、そのハンドル５Ｌ，５Ｒをねじ固定するためのねじ穴３５を、ラック用取付部材６Ｌ，６Ｒをねじ固定するためのねじ穴３５として用いることで、ハンドル５Ｌ，５Ｒとラック用取付部材６Ｌ，６Ｒとを筐体１に取り付けるためのねじ穴３５及び取付ねじ４５を共用にしている。このため、ラック用取付部材６Ｌ，６Ｒは、ハンドル５Ｌ，５Ｒを避けて取り付ける必要がない。また、ラック用取付部材６Ｌ，６Ｒは平板状であるため、それをハンドル５Ｌ，５Ｒとフロントパネル３との間に挟んで、ハンドル５Ｌ，５Ｒとラック用取付部材６Ｌ，６Ｒとの双方を筐体１に取り付けることが可能である。なお、ハンドル５Ｌ，５Ｒ又はラック用取付部材６Ｌ，６Ｒのいずれかを筐体１に単独で取り付けることも可能である。
このように、筐体１の限られたスペース内にラック用取付部材６Ｌ，６Ｒを効率的に配置することができ、スペース効率に優れたミキサ装置１００とすることができる。
【００３４】
なお、本発明は上記実施形態に限定されるものではなく、本発明の趣旨を逸脱しない範囲において種々の変更を加えることが可能である。
【符号の説明】
【００３５】
１…筐体、２…ベース、３…フロントパネル、５Ｌ，５Ｒ…ハンドル、６Ｌ，６Ｒ…ラック用取付部材、２２…凹部、３１…操作面、３２…台座部、３５…ねじ穴、３６ｓ，３６ｔ…位置決め穴、４５…取付ねじ、５１…取っ手部、５５…第１貫通孔、５６…位置決めボス、６５…第２貫通孔、６６…連通孔、６７…第３貫通孔、６８…ガイド孔、
１００…ミキサ装置（ラックマウント用電子機器）、２００…ラック
【図１】
0006597036.tif 000002
【図２】
0006597036.tif 000003
【図３】
0006597036.tif 000004
【図４】
0006597036.tif 000005
【図５】
0006597036.tif 000006
【図６】
0006597036.tif 000007
【図７】
0006597036.tif 000008
【図８】
0006597036.tif 000009
【図９】
0006597036.tif 000010
【図１０】
0006597036.tif 000011